(57)【要約】受信データを伝送する無線信号サンプルからデータを検出して復元する受信機は、第１および第２検出プロセッサを備える。検出プロセッサの各々は、所定数の信号サンプルを格納するように動作可能なデータ記憶装置と、信号サンプルを複数のイコライザ係数と結合し、受信信号サンプルを表す精製信号サンプルを生成するように動作可能であり、且つ受信無線信号によって発生するマルチ・パス伝播によって生ずる符号間干渉の影響は少なくとも部分的に低減させるように動作可能であるイコライザと、イコライザから精製信号サンプルを受け取り、受信信号のその後の受信バージョンから取り出された第２の精製信号サンプルを他の検出プロセッサから受け取り、第１および第２精製信号サンプルを結合するように動作可能な結合装置と、格納信号サンプルをデータ記憶装置から受け取り、更に第２格納信号サンプルを受け取って、第１検出プロセッサおよび第２検出プロセッサ用イコライザ係数を適合させるように動作可能であり、且つ受信無線信号サンプルからのデータを正確に復元する確率を高めるように動作可能であるデータ・プロセッサと、を備える。各検出プロセッサのサンプル記憶装置からの格納信号サンプルを、マスター検出プロセッサとして作用するデータ・プロセッサの一方に伝達することによって、各検出プロセッサのイコライザ用のイコライザ係数を同時に計算し、結合された信号からのデータを正確に復元する確率を高めるようにする。好適な実施形態では、イコライザは線形イコライザである。受信機は、例えばＣＤＭＡシステムにおいて用いられるように、スペクトル拡散無線信号からのデータ復元の用途に供されるが特にこれに限定しない。
2004519934.tif 000002
【特許請求の範囲】
【請求項１】
受信データを伝送する無線信号サンプルからデータを検出および復元する受信機であって、該受信機は第１および第２検出プロセッサを備え、該第１および第２検出プロセッサは、
前記受信信号サンプルを格納するよう動作可能なデータ記憶装置と、
前記受信信号サンプルを複数のイコライザ係数と結合させ、前記受信信号サンプルを表す精製信号サンプルを生成するように動作可能であるが、前記受信無線信号のマルチ・パス伝播によって生じる符号間干渉の影響は少なくとも部分的に低減させるイコライザと、
前記イコライザから精製信号サンプルを受け取り、前記受信信号のその後の受信バージョンから取り出した第２精製信号サンプルを別の検出プロセッサから受け取り、前記第１および第２精製信号サンプルを結合するように動作可能な結合手段と、
前記データ記憶装置から前記格納された信号サンプルを受け取るよう動作可能なデータ・プロセッサにおいて、前記第１検出プロセッサのデータ・プロセッサは、第２格納信号サンプルを前記第２検出プロセッサから受け取り、前記第１検出プロセッサのイコライザ係数と前記第２検出プロセッサのイコライザ係数とを、前記第１および第２格納信号サンプルに基づいて適合させるように動作可能であって、前記受け取った無線信号サンプルからのデータを正確に復元する確率を高めるようにするデータ・プロセッサと、
を備えた前記受信機。
【請求項２】
請求項１記載の受信機において、前記データ・プロセッサは、
前記第１および第２格納信号サンプルを第１および第２試行イコライザ係数と結合させ、第１および第２試行精製信号サンプルを精製するように動作可能な第１および第２試行イコライザと、
前記第１および第２試行精製信号サンプルを結合し、試行複素信号を形成するように動作可能な結合器と、
前記試行複素信号を復調し、前記データの少なくとも一部分を復元するように動作可能な復調プロセッサと、
前記第１および第２試行イコライザを制御するよう動作可能なフィード・バック・プロセッサにおいて、前記結合器および前記復調プロセッサが、前記データの前記復元された部分のその後のバージョンを形成し、前記復元されたデータ部分の前記第１部分とその後のバージョンとの間に形成されたエラーに基づいて前記第１および前記第２試行イコライザ係数を適合させ、該適合された第１および第２試行イコライザ係数は前記第１および第２イコライザにおいてイコライザ係数として使用されるフィード・バック・プロセッサと、
を備えた前記受信機。
【請求項３】
請求項２記載の受信機において、前記データ・プロセッサは、前記イコライザ係数を複数の反復のそれぞれに対して適合させ、各バージョンは前記データ部分のその後の精製バージョンを形成し、前記データの前記部分の前記その後のバ−ジョンと以前のバージョンとの間のエラーを最小化させるようにした前記受信機。
【請求項４】
請求項２または３に記載の受信機において、前記データ・プロセッサは、前記係数を適合させ、少なくともエラーの最小平均二乗を最小化させるようにした前記受信機。
【請求項５】
請求項２、３、または４のいずれかひとつに記載の受信機において、前記受信信号サンプルが、前記受信信号サンプルの別のデータを載せた部分より大きなユークリッド距離を有する変調手法を用いて変調されたセクションを含み、前記推定されたデータの前記部分が、前記のより大きなユークリッド距離で変調された前記受信信号サンプルのセクションから復元された前記受信機。
【請求項６】
請求項１記載の受信機において、前記データ・プロセッサが、前記受信信号サンプルの周波数応答から前記復元データの周波数応答を逆畳み込みをすることによって、前記受信無線信号が通過した無線通信チャネルの周波数応答の推定値を生成し、前記無線通信チャネルの周波数応答の前記推定値から前記第１および第２イコライザ係数を生成するように動作可能な逆畳み込みプロセッサを備えた前記受信機。
【請求項７】
請求項１記載の受信機において、前記受信した信号が既知のデータ・シーケンスを含み、前記格納信号サンプルが前記既知のデータ・シーケンスを表し、前記データ・プロセッサが、前記格納サンプルを復調することによって前記既知のデータ・シーケンスを復元し、前記復元データ・シーケンスと前記もとのデータ・シーケンスとの間に形成されたエラーに基づいて、前記第１および第２イコライザ係数を適合させるように動作可能である前記受信機。
【請求項８】
請求項７記載の受信機において、前記制御プロセッサが、複数の反復の各々に対し前記イコライザ係数を適合させ、前記エラーを最小化するようにした前記受信機。
【請求項９】
請求項７または８記載の受信機において、前記データ・プロセッサが、前記係数を適合させ、少なくともエラーの最小平均二乗を最小化するようにした前記受信機。
【請求項１０】
請求項１から９のいずれかひとつに記載の受信機において、前記第１および第２検出プロセッサは、所定のインターフェースを有するモジュールとされ、該インターフェースは、前記格納信号サンプル、前記イコライザ係数、および精製信号を別の検出プロセッサに伝達する機能を備えた前記受信機。
【請求項１１】
請求項１から１０のいずれかひとつに記載の受信機において、前記第１および第２検出プロセッサの前記データ・プロセッサは、前記第１および第２検出プロセッサのうちのどちらが、マスター検出プロセッサとして作動し、該マスター検出プロセッサの前記データ・プロセッサが、前記第１および第２イコライザ双方のイコライザ用にイコライザ係数を計算するのかを決定するように動作可能である前記受信機。
【請求項１２】
請求項１から１１のいずれかひとつに記載の受信機であって、第１アンテナおよび第２アンテナを備え、該第１アンテナは、前記受信信号の第１バージョンを与える前記第１検出プロセッサに結合され、前記第２アンテナは、前記受信信号の第２バージョンを与える前記第２検出プロセッサに結合された前記受信機。
【請求項１３】
請求項１から１２のいずれかひとつに記載の受信機において、前記第１および第２検出プロセッサの少なくとも一方は前記イコライザによって生成された前記精製信号サンプルを遅延させる遅延エレメントを含み、他方の検出プロセッサのイコライザからの前記精製信号サンプルが、前記他方のサンプルの結合対象の前記精製信号サンプルと同時に受信されるようにした前記受信機。
【請求項１４】
請求項１から１３のいずれかひとつに記載の受信機において、前記受信データを伝送する無線信号はスペクトル拡散無線信号であり、前記データ・プロセッサは前記無線信号サンプルを逆拡散することによって前記データからの前記データを復元するように動作可能である前記受信機。
【請求項１５】
請求項１から１４のいずれかひとつに記載の受信機において、前記イコライザは線形イコライザである前記受信機。
【請求項１６】
請求項１から１５のいずれかひとつに記載の受信機を有した固定ワイヤレス・アクセス通信システム。
【請求項１７】
受信無線信号サンプルからのデータを検出して復元する際にダイバーシティ受信機において用いられる検出プロセッサであって、該検出プロセッサは、
前記受信信号サンプルを格納するように動作可能なデータ記憶装置と、
前記受信信号サンプルを複数のイコライザ係数と結合し、前記受信信号サンプルを表す精製信号サンプルを生成するように動作可能であるが、前記受信無線信号の予測されるマルチ・パス伝播によって引き起こされる符合間干渉の影響は少なくとも部分的に低減させるイコライザと、
前記イコライザから前記精製信号サンプルを受け取り、前記受信信号のその後の受信バージョンから取り出された第２精製信号サンプルを受け取り、前記第１および第２精製信号サンプルを結合するように動作可能な結合手段と、
前記データ記憶装置から前記格納信号サンプルを受け取り、且つ第２の格納信号サンプルを受け取り、前記第１イコライザ係数および第２イコライザ係数を適合させるように動作可能であり、前記受信信号サンプルからのデータを正確に復元する確率を高めるようにしたデータ・プロセッサと、
を備えた前記検出プロセッサ。
【請求項１８】
請求項１７記載の検出プロセッサにおいて、前記受信無線信号サンプルは受信したスペクトル拡散無線信号から取り出され、前記データ・プロセッサは、前記無線信号サンプルを逆拡散することによって前記データを復元させるように動作可能である前記検出プロセッサ。
【請求項１９】
請求項１７または１８に記載の検出プロセッサにおいて、前記イコライザは線形イコライザである前記検出プロセッサ。
【請求項２０】
受信データを伝送する無線信号サンプルからのデータを検出し復元する方法であって、
所定数の前記信号サンプルを格納するステップと、
前記信号サンプルを複数のイコライザ係数と結合し、前記受信信号サンプルを表す精製信号サンプルを生成するが、前記受信無線信号によって生ずるマルチ・パス伝播によって発生する符合間干渉の影響は少なくとも部分的に低減させるようにするステップと、
前記精製信号サンプルと前記受信信号のその後の受信バージョンから取り出した第２の生成信号サンプルとを受け取るステップと、
前記第１および第２精製信号サンプルを結合するステップと、
前記格納信号を前記データ記憶装置から受け取り、第２の信号サンプルを第２のデータ記憶装置から受け取るステップと、
前記第１イコライザ係数および前記第２イコライザ係数を適合させ、前記受信無線信号サンプルからのデータを正確に復元させる確率を高めるようにしたステップと、
からなる前記方法。
【発明の詳細な説明】
【０００１】
（技術分野）
本発明は、受信したスペクトル拡散信号からのデータを検出して復元する受信機に関するものである。
【０００２】
（発明の背景）
多重アクセス無線通信技術は、同一の無線周波数帯域幅においていくつかの無線通信チャネルに同時に対応する機能を備える。かかる多重アクセス技術の一つには、符号分割多重アクセス（ＣＤＭＡ）が挙げられる。無線通信の分野に通じているものは、ＣＤＭＡという術語が、ＩＳ−９５、広帯域ＣＤＭＡ，第三世代移動無線用に提案され、ＴＤ−ＣＤＭＡとしてもまた公知のジョイント・ディテクション（Ｊｏｉｎｔ  Ｄｅｔｅｃｔｉｏｎ）、のみならずその他の固定および移動無線標準といったいくつかの公知の無線アクセス・インタ−フェースに適用されることを認めるであろう。したがって、ＣＤＭＡという術語は、いずれの特定の無線アクセス標準に限定されるものではなく、スペクトル拡散無線通信を用いて複数のユーザに同時に通信を行えるようにするためのあらゆる無線アクセス・インターフェースを含むものとして解釈されるべきである。
【０００３】
一般的に、ＣＤＭＡ通信システムでは、伝達対象データは拡散符号を変調するように構成される。変調された拡散符号の帯域幅は、ベースバンド信号の帯域幅よりもはるかに広い。受信機において、拡散符号は再生され、受信したスペクトル拡散信号と互いに関連づけられる。この相関作用の結果、再生拡散符号と受信スペクトル拡散信号に存在する変調拡散符号との間にいわゆる「符号化利得」が生成される。データ符号は、異なる拡散符号から生成された他のスペクトル拡散信号が存在するところでの相関作用の結果から復元することが可能である。
【０００４】
スペクトル拡散信号からのデータを検出、復元するための公知の受信機には、レーク受信機（Ｒａｋｅ  ｒｅｃｅｉｖｅｒ）がある。レーク受信機には複数の相関器が備えられ、これらの相関器のそれぞれは、異なる量によって、受信信号を拡散符号オフセットの再生バージョンと時間通りに相関付けるように構成される。これによって、各相関器は出力信号を生成し、この出力信号を結合して複素信号を生成し、この複素信号からデータを検出する。このように、それぞれのデータをマルチ・パス伝播プロフィールの経路それぞれの予想した遅延にしたがって設定することによって、マルチ・パス伝播の存在するところで、データを復元することができる。
【０００５】
（発明の要約）
本発明によれば、受信データを伝送する無線信号サンプルからデータを検出して、且つ復元するための受信機が提供され、当該受信機は第１および第２検出プロセッサを備え、当該第１および第２検出プロセッサは、前述の受信した信号サンプルを格納するように動作可能なデータ記憶装置と、受信信号サンプルを複数のイコライザ係数と結合し、受信信号サンプルを表す精製（ｒｅｆｉｎｅｄ）信号サンプルを生成するように動作可能であるが、受信無線信号のマルチ・パス伝播によって生ずる符号間干渉の影響は少なくとも部分的に低減させるイコライザと、精製信号サンプルをイコライザから受信し、且つ他の検出プロセッサから、受信信号の別の受信バージョンから導出された第２の精製信号サンプルを受信し、前述の第１および第２の精製信号サンプルを結合するように動作可能な結合手段と、格納された信号サンプルをデータ記憶装置から受け取るよう動作可能なデータ・プロセッサと、を備え、前述の第１検出プロセッサのデータ記憶装置は、第２検出プロセッサのデータ記憶装置から第２信号サンプルを受け取り、第１および第２格納信号サンプルに基づいて、イコライザ係数を前述の第１検出プロセッサおよび前述の第２検出プロセッサに適合させるように動作可能であり、受信無線信号サンプルからのデータを正確に復元する確率を高めるようにする。
【０００６】
複数の受信信号バージョンであって、それぞれは対応する複数のアンテナの１つからそれぞれ受信されたバージョンを結合し、これら受信バージョンを結合することによってダイバーシティから利得が得られることは知られている。無線通信の技術分野において用いられるダイバーシティという術語は、異なるアンテナから異なる無線信号バージョンを受信または送信する技術を意味する。アンテナは、距離によって分けられ、各アンテナにおける伝播状況は少なくとも部分的には非相関関係で処理されるようにすることが好ましい。
【０００７】
本発明の実施形態は、異なる受信信号バージョンを処理するようにそれぞれが構成された複数の検出プロセッサをイコライザと結合し、精製信号を与える設備を提供する。各イコライザからの精製信号サンプルは、次に、マスターとして作用する検出プロセッサの１つのデータ・プロセッサに伝えられる。各検出プロセッサからの精製信号は、次に、結合器に供給され、マスター検出プロセッサにおいて結合される。格納された信号サンプルを、検出プロセッサの各々のサンプル記憶装置からマスター検出プロセッサのデータ・プロセッサに伝えることによって、各検出プロセッサのイコライザ用イコライザ係数を纏めて算出することができ、結合された信号からデータを正確に復元する確率を可能な限り高めるようにする。
【０００８】
本発明の実施形態は、ダイバーシティ受信機を対応する検出プロセッサと組み合わせたあらゆる数のアンテナから形成することができるモジュール構造を提供することにおいて特別の利点が得られる。この構造のために、検出プロセッサの一つがマスター検出プロセッサとして作用し、イコライザ係数を纏めて計算し、次にこれを他の検出プロセッサのイコライザに分配することができる。
【０００９】
当業者は認めるであろうが、イコライザは符号間干渉の影響を緩和するかまたは少なくとも低減させるように動作することができる。しかしながら、状況によっては、及ぼす影響を可能な限り抑えたものとはいえ、残留符号間干渉が残る場合があることは認められよう。したがって、イコライザの出力における信号サンプルは、ここでは精製信号サンプルを指し、符号間干渉の受信信号サンプルにおける影響は、イコライザ係数との結合後は低減されることを意味することを意図している。
【００１０】
種々のタイプのイコライザが使用可能であることが認められようが、好適な実施形態では、イコライザは線形イコライザである。以下で簡潔に説明するが、線形イコライザは、受信信号に存在する符号間干渉を低減させるうえで一般に有効であり、その他のイコライザに比して複雑性が比較的低く、スペクトル拡散無線信号化からのデータを復元するように構成された本発明の実施形態に対し特別の利点を提供する。しかしながら、別の実施形態ではイコライザは最尤シーケンス推定型イコライザの場合がある。
【００１１】
線形イコライザという術語は、線形遅延線フィルタから形成されたイコライザという広い意味を付与することを意図した言葉である。線形イコライザの例は、マグロウヒル国際版（ＭｃＧｒａｗ−Ｈｉｌｌ  Ｉｎｔｅｒｎａｔｉｏｎａｌ  Ｅｄｉｔｉｏｎｓ）ＩＳＢＮ  ０−０７−１００２６９−３によって刊行されたＪｏｈｎ  Ｇ．  Ｐｒｏａｋｉｓによる「デジタル通信」第２版の５５４頁からの６．４章に開示されている。
【００１２】
イコライザ係数を計算するため、好適実施形態において、データ・プロセッサは、第１および第２格納信号サンプルを第１および第２イコライザ係数と結合し、第１および第２試行精製信号サンプルを生成するように動作可能な第１および第２試行イコライザと、第１試行精製信号サンプルと第２試行精製信号サンプルとを結合し、試行複素信号を形成するように動作可能な結合器と、試行複素信号を復調し、少なくともデータの一部分を復元するように動作可能な復調プロセッサと、第１および第２試行イコライザを制御するように動作可能なフィードバック・プロセッサと、を備え、結合器および復調プロセッサはデータの復元部分のその後のバージョンを形成し、復元されたデータ部分の第１バージョンとその後のバージョンとの間で発生したエラーに基づいて、第１イコライザ係数と第２イコライザ係数とを適合させ、適合された試行イコライザ係数が第１および第２イコライザにおいてイコライザ係数として使用される。
【００１３】
したがって、好適実施形態では、第１および第２イコライザ係数は反復して計算され、第１および第２検出プロセッサ用の格納受信信号から復元したデータと、イコライザ係数の別の精製集合を使用してそれぞれが精製された以前のバージョンとの間のエラーを最小化にする。次に、第１および第２試行イコライザ係数を対応する検出プロセッサ内の対応するイコライザに伝達する。したがって、好適実施形態では、イコライザ係数は、受信無線信号から復元したデータの推定値から計算することができる。イコライザ係数の各試用集合を、以前の推定値とその後の復元推定値との間に形成されたエラーに基づいて、以前のデータ推定値を基準に反復して計算する。したがって、受信データを伝送する信号サンプルの一部として既知のデータ・シーケンスを伝達する必要はない。
【００１４】
更に、受信無線信号から復元されるデータのエラー率を最小にするイコライザ係数の推定値を改善するため、好適実施形態では、受信信号サンプルは、別のデータを伝送する受信信号サンプル部分より大きなユークリッド距離を有する変調方式を用いて変調されたセクションを含み、推定されたデータの部分は、より大きなユークリッド距離を伴って変調されたセクションから復元される。
【００１５】
ユークリッド距離は、当業者にはよく知られている術語であり、変調方式の複素平面内の信号群における符号間の距離を意味する。ユークリッド距離は先に参照したＪ．Ｇ．Ｐｒｏａｋｉｓによる刊行物の２２２−２２８頁に更に説明されている。好適実施形態では、例えば、直交位相偏移変調（ＱＰＳＫ）用いてスペクトル拡散無線信号の第１部分を変調するようにデータを構成する場合もある。直交位相偏移変調（ＱＰＳＫ）は、例えば８直交振幅変調（ＱＡＭ）、１６、３２または６４ＱＡＭよりも大きなユークリッド距離を有する。
【００１６】
別の実施形態では、イコライザ係数はデータが通過した無線通信チャネルの周波数応答を推測することによって生成され、チャネルの周波数応答の推定値に基づいて第１および第２イコライザ係数を生成し、無線チャネルのマルチ・パス伝播の影響を低減させるようにする。推定値は、例えば、スペクトル拡散信号と受信無線信号との再生バージョンの周波数応答を解析することによって生成可能である。
【００１７】
受信データを伝送する無線信号はスペクトル拡散無線信号の場合もあるため、好適な実施形態では、データ・プロセッサは無線信号サンプルを逆拡散してデータを復元するように動作することも可能である。先に述べたように、本発明の実施形態は、特にスペクトル拡散無線信号からのデータ復元用途、例えば、ＣＤＭＡシステムにおいてデータを伝達するために用いられるもの、に供されるがこれに限定しない。すなわち、レーク（Ｒａｋｅ）受信機の性能は移動無線用途では充分ではあるものの、固定ワイヤレス・アクセス・ネットワークのような固定無線用途では、多数の直交符号用の復元データにおけるエラー発生率の点において、さらにより高順位な変調が用いられる場合には、線形イコライザのほうが性能に優ることが発見されているからである。
本発明の種々の別の実施態様および特徴は添付の特許請求の範囲において規定される。
【００１８】
好適な実施形態の説明
本発明を具現する受信機は、種々の変調方式に従って変調される無線信号からのデータを検出、復元する用途に供され、いずれの特定の多重アクセス技術にも限定されないことが認められよう。本発明を具現する受信機は時分割多元接続（ＴＤＭＡ）システムにおいて用いられる場合もあるが、本発明の実施形態の一例を、ＣＤＭＡを使用する通信システムを参照して説明する。既に説明したように、受信機は、好適な実施形態においてワイヤレス電気通信システムの部分を形成する。ワイヤレス電気通信システムについては以下の段落で簡単に説明する。
【００１９】
固定ワイヤレス・アクセス・システム
図１はワイヤレス電気通信システムの概略図である。電気通信システムには、１つ以上のサービス領域１２、１４および１６が含まれる。各サービス領域には、中央端末（ＣＴ）１０が備えられ、それらは、無線チャネルを介して、当該サービス領域内の加入者端末（ＳＴ）２０と通信を行う設備を提供する。これらのサービス領域の規模および地理的特性は、変化する可能性がある。例えば、加入者端末密度の低い地方（ｒｕｒａｌ）領域では、サービス領域１２は半径１５−２０Ｋｍの領域を対象として含むことができよう。加入者端末２０の密度が高い都会環境では、サービス領域１４はおよそ１００ｍ半径の領域しか対象として含むことができない。加入者端末密度が中程度の郊外領域では、サービス領域１６はおよそ１Ｋｍ半径の領域を対象として含むことができる。特定の中央端末１０によってカバーされる領域は、特定の地理的特徴と、予想されるまたは実際の加入者密度固有の要求、局所的地理的問題点等に適合するように選択することが可能であり、図１に示す例に限定されるものではない。更に、受信可能範囲は、送信された信号の分布に影響を与えるアンテナ設計問題、地理的要因、建物等を理由に環状である必要はなく、通常の場合環状ではない。
【００２０】
図１のワイヤレス電気通信システムは、サービス領域（例えば、１２、１４、１６）内の固定位置における加入者端末２０と当該サービス領域の中央端末１０との間で無線通信を同時に行うように構成されている。無線通信は、所定の周波数チャネルを通じて確立され、周波数チャネルは通常の場合、加入者端末から中央端末へのアップ・リンク信号用のある周波数と、中央端末から加入者端末へのダウン・リンク信号用の別の周波数と、から構成される。
【００２１】
したがって、ＳＴとＣＴとの間の無線通信は、所定の無線アクセス・インターフェースに応じて行われる。無線アクセス・インターフェースは、複数のＳＴとこれらに対応するＣＴとの間で通信を同時に行うように設備を提供する。かかるアクセス・インターフェースの１つはＣＤＭＡ無線アクセス・インターフェースを提供し、これによって一組の直交符号を特定の周波数チャネル上で送信されるデータに印加し、異なるワイヤレス・リンクに関係するデータは前述の集合からの異なる直交符合と結合される。直交符号が印加された信号は、特定の周波数チャネル内の対応する直交チャネルを通じて送信されるものとみなすことができる。
【００２２】
かかるワイヤレス電気通信システムを操作する方法の一つは、固定割り当て方式においてであり、その場合、特定のＳＴは特定の周波数チャネルの特定の直交チャネルに直接対応する。ＳＴに接続された電気通信装置のアイテム間の呼は、特定の周波数チャネルを有する、予め割り当てられた直交チャネルによって常に処理され、直交チャネルは常に使用可能であって、当該特定のＳＴ用に確保される。次に、各ＣＴ１０は、アクセス制御装置（ＡＣ）１００を介して音声／データ・ネットワーク１８のスイッチ、例えば公衆交換電話網（ＰＳＴＮ）、に直接接続することが可能である。以下の記述においては、ＰＳＴＮは、音声／データ・ネットワークの一例として参照される。
【００２３】
電気通信ネットワークのユーザの数が増加するにつれて、より多くのユーザに対応可能なかかるネットワークに対する需要がますます高まる。単一の中央端末が対応可能なユーザ数を増やすには、かかるワイヤレス電気通信システム操作の代替方法は要求割り当て（Ｄｅｍａｎｄ  Ａｓｓｉｇｎｍｅｎｔ）方式にあり、その場合、それらのＳＴでワイヤレス・リンクを処理するために使用可能なトラフィック伝送の直交チャネルの数よりも多くの数のＳＴが中央端末に対応付けられ、対応される正確な数は多数の要因、例えば、ＳＴの予定されたトラフィック負荷および所望のサービス品位に基づく。次に、それらの直交チャネルは、必要に応じ、要求あり次第特定のＳＴに割り当てられる。この手法は、固定割り当て方法において可能であるよりもはるかに多くのＳＴが、単一の中央端末によって対応可能であることを意味している。本発明の好適な実施形態では、各加入者端末２０は要求に基づいてその中央端末１０にアクセスできるようになっているため、サービスの提供を受けることのできる加入者の数は使用可能なワイヤレス・リンクの数を上回る。
【００２４】
ＡＣ、ＣＴおよびＳＴが、音声データのような連続データ・シーケンスに適切な搬送機構を使用した要求割り当て方式で、互いに通信を行って呼を処理するように構成可能な状況に関する全体的な背景情報に関しては、読者はＧＢ−Ａ−２，３２６，３１０およびＧＢ−Ａ−２，３２６，３１１を参照されたい。
【００２５】
図２は、図１の電気通信システム用加入者端末２０の構成の一例を示す。図２には、顧客の敷地２２の模式図が含まれている。顧客の無線装置（ＣＲＵ）２４は、顧客の敷地に据えられている。ＣＲＵ２４には、フラット・パネル・アンテナ等２３が含まれる。ＣＲＵは顧客の敷地のある地点、またはマスト等に搭載され、ＣＲＵ２４内のフラット・パネル・アンテナ２３が、ＣＲＵ２４が位置するサービス領域のＣＴ１０の方向２６を向くように方向付けられている。
【００２６】
ＣＲＵ２４は、支線２８を介して顧客の敷地内の電源装置（ＰＳＵ）３０に接続されている。電源装置３０は、ＣＲＵ２４およびネットワーク端末装置（ＮＴＵ）３２に電力を提供する地元電源に接続されている。また、ＣＲＵ２４は、電源装置３０を介してネットワーク端末装置３２に接続され、ネットワーク端末３２には次に、顧客の敷地内の電気通信装置、例えば、順に一つ以上の電話機３４、ファクシミリ装置３６、およびコンピュータ３８に接続されている。電気通信装置は、単一顧客の敷地内にあるものとして表されている。しかしながら、これは必ずしもこのようである必要はない。ＳＴ２０は、多数の回線に対応可能であるため、いくつかの加入者線は単一のＳＴ２０によって対応可能であるからである。また、ＳＴ２０は、アナログおよびデジタル電気通信、例えば、１６、３２または６４キロビット／秒でのアナログ通信、またはデジタル通信、例えばインタ−ネットプロトコル（ＩＰ）、ＩＳＤＮ  ＢＲＡ標準、専用回線データ（ｎｘ６４Ｋ）等に対応するように構成することが可能である。
【００２７】
固定ワイヤレス・アクセス通信システムのそれ以上の詳細、およびエア・インターフェ−スの更に具体的な実施態様の詳細は、同時係属中の英国特許出願番号００２３６８９．３に開示されている。しかしながら、一般的には、本発明の実施形態はダイバーシティ受信機を利用する。
【００２８】
ダイバーシティ受信機
本発明の実施形態による受信機は、ＳＴまたはＣＴのいずれか、あるいはその両方に組み込むことができる。したがって、図３はＣＴおよびＳＴの双方にＣＤＭＡ信号を検出および送信するための２つのアンテナが備えられている構成を概略的に示す。ＣＴおよびＳＴはいずれも２つのアンテナを有するように示されているが、これは単なる例示であって、ＣＴまたはＳＴには１個のアンテナしかないこともあることは認められよう。同様に、図３ではＣＴおよびＳＴは２個のアンテナを有するが、別の実施形態では、２個よりも多いアンテナを用いて受信無線信号の異なるバージョンを提供することが好ましいことが認められよう。
【００２９】
図３に示すように、ＳＴアンテナＡ．３、Ａ．４からＣＴアンテナＡ．１、Ａ．２への無線信号ＲＴ、ＲＴ．１、ＲＴ．２の伝播の例が例示されている。図示されているようにアンテナに到達する無線信号には、直接成分ＲＴ、およびマルチ・パス成分ＲＴ．１、ＲＴ．２がある。図３に表されていように、２つのマルチ・パス成分ＲＴ．１、ＲＴ．２を含む無線信号バージョンは、直接パス成分よりも長いルートを経由して移動して受信機のアンテナＡ．１、Ａ．２に到達するので、到達時間が異なる。
【００３０】
本発明を具現する受信機の利点は、受信機がアンテナの数に対応したいくつかのモジュールを備えたモジュール形態で実現できることである。図３に示した２個のアンテナを有したＣＴの例に対し、ＣＤＭＡ信号からのデータを検出、復元するように構成された受信機チェーンが図４に示されている。
【００３１】
図４では、ＣＴの第１および第２アンテナＡ．１、Ａ．２が無線周波数（ＲＦ）４０．１、４０．２の出力に接続されるように示されている。ＲＦプロセッサ４０．１、４０．２のそれぞれの出力に接続されているのは第１および第２検出プロセッサ４２．１、４２．２である。第１および第２検出プロセッサ４２．１、４２．２は、所定のインタ−フェースＩＦに従い、三つのチャネル４４、４６、４８によって相互接続されている。これら三つのチャネル４４、４６、４８の目的および機能については手短に説明する。しかしながら、第１および第２検出プロセッサは組み合わさって動作し、第１および第２アンテナＡ．１、Ａ．２から受信したＣＤＭＡ信号の別バージョンを等化、結合し、複素出力信号を生成する。複素出力信号は、出力チャネル５０．１、５０．２上で提示され、逆拡散プロセッサ５２．１、５２．２に供給される。
【００３２】
逆拡散プロセッサ５２．１、５２．２は複素信号を逆拡散してデータ推定値を生成し、スペクトル拡散信号は、この推定値でＣＤＭＡエア・インターフェースに従って変調された。データ推定値は、次に、後続のデータ・プロセッサ５４．１、５４．２によって処理される。これらデータ・プロセッサは、例えば、エラー訂正復号およびその他の処理を行い、ＳＴから伝達されたデータを正確に検出する確率を高めるようにする。これより、本発明の実施形態に応じた第１および第２検出プロセッサの動作を、図４を参照しながら説明する。
【００３３】
図５では、第１および第２検出プロセッサ４２．１、４２．２が、それぞれ位相Ｉと直交位相Ｑとの２つの平行チャネル４１．１、４１．２を介して、サンプリングされたＣＤＭＡ信号のそれぞれのバージョンの複素成分を受信する状況が示されている。
【００３４】
ＲＦプロセッサ４０．１、４０．２は、Ａ−Ｄコンバータを用いて受信無線信号をベースバンド形態にダウンコンバートし、信号をサンプリングして複素信号サンプルを生成する。これらのサンプルは、それぞれの入力チャネル４１．１、４１．２を通じて検出プロセッサ４２．１、４２．２に提示される。複素信号サンプルは、整合フィルタ６０．１、６０．２によって検出プロセッサの各々の内で受け取られる。整合フィルタはインパルス応答を有し、これにより受信信号サンプルのスペクトルが形成される。好適な実施形態では、整形フィルタ６０．１、６０．２は、ルート・レイズド・コサイン応答（ｒｏｏｔ  ｒａｉｓｅｄ  ｃｏｓｉｎｅ  ｒｅｓｐｏｎｓｅ）に対応したインパルス応答を有する。対応した応答を無線信号送信機で使用することにより、レイズド・コサイン応答が得られ、スペクトル形成フィルタによって生ずる符合間干渉を可能な限り低減させる。
【００３５】
整合フィルタの出力における複素信号サンプルは、平行チャネル６６．１、６６．２を介してイコライザ６２．１、６２．２のそれぞれの入力、および複素サンプル記憶装置６４．１、６４．２に供給される。
【００３６】
第１および第２検出プロセッサの各々において、データ・プロセッサ６８．１、６８．２はサンプル記憶装置６４．１、６４．２から複素サンプルを受け取るように構成されている。また、データ・プロセッサ６８．１、６８．２は、接続チャネル４４を介して、他方の検出プロセッサの１つの他方のデータ・プロセッサの少なくとも１つから、複素サンプルを受け取るように構成されている。図５に示す実施形態の一例のデータ・プロセッサ６８．１は、第１プロセッサ４２．１および複素イコライザ６２．１、ならびに第２検出プロセッサ４２．２および複素イコライザ６２．２の双方に対し複素係数を算出する。これらは接続チャネル７０．１、７０．２を介してイコライザ６２．１、６２．２にそれぞれ供給される。既に述べたように、イコライザ６２．１、６２．２は受信ＣＤＭＡ信号によって生じたマルチ・パス伝播によって生成された符号間干渉をできる限り減少させるよう動作可能である。
【００３７】
好適な実施形態では、複素イコライザ６２．１、６２．２は線形イコライザであり、受け取った信号サンプルをイコライザ係数と結合して、出力チャネル７２．１、７２．２において精製複素信号サンプルを生成し、これらはそれぞれ結合器７４．１、７４．２の入力に供給される。
【００３８】
結合器７４．１、７４．２は、接続チャネル４６、４８を介して、対応する検出プロセッサのイコライザからの精製信号をそれぞれ表す複素信号サンプルを交換するように構成される。したがって、結合器７４．１、７４．２は、第１および第２検出プロセッサのそれぞれからの精製信号を結合し、それぞれの平行コンダクタ５０．１、５０．２上で複素信号を形成するよう構成されることが効果的である。好適な実施形態では、結合器７４．１、７４．２は最大結合比に応じて動作し、各ダイバーシティ・ブランチからの寄与を当該ブランチに対する信号対雑音比に応じて量る。
【００３９】
これより、図５に示す第１および第２検出プロセッサの動作について更に詳細に説明する。第１および第２アンテナＡ．１、Ａ．２によって２つのダイバーシティ・ブランチが備えられている、図５の一例の構成に対し、この二つの検出プロセッサの一方はマスターとして、他方はスレーブとして作用する。図５では、上段の第１検出プロセッサがマスターとして作用し、第２検出プロセッサがスレーブとして作用するものとする。
【００４０】
既に説明したように、本発明による受信機は、ＣＤＭＡ無線アクセス・インターフェースによって生成されたスペクトル拡散無線信号からのデータを線形イコライザを用いて検出、復元し、マルチ・パス伝播の影響を補償するように構成されている。線形等化によって、レーク受信機のような他の受信機に優る利点が得られることは明らかになっている。特に、マルチ・パス伝播が比較的厳しくはなく、遅延拡散は比較的小さく、直接経路成分を含む場合である。更に、受信信号が、多数の直交キャリアの存在するところで検出され、高い信号対雑音比（Ｅｂ／Ｎｏ）が求められる、例えば１６ＱＡＭといった高次変調方式が使用される場合、線形イコライザは、例えば所与の信号対雑音比におけるビット誤り率性能の点で、レーク受信機よりも性能が優れる。かかる状況は通常の場合、本発明の実施形態の例を示すために用いられる固定ワイヤレス・アクセス通信システムにおいてみられる。したがって、本発明の実施形態は、かかる固定ワイヤレス・アクセスと共に使用されることが認められよう。
【００４１】
イコライザ係数の計算
受け取った信号の等化を行うため、イコライザの係数を算出し、受信信号に存在する可能性のある符号間干渉を低減させる。このため、第１および第２検出プロセッサ双方のデータ・プロセッサ６８．１、６８．２は、複素サンプル記憶装置６４．１、６４．２にアクセスし、整合フィルタ６０．１、６０．２の出力において受信信号サンプルの固定間隔を取り込む。また、マスター検出プロセッサ上のデータ・プロセッサ６８．１は、第２検出プロセッサのデータ・プロセッサ６８．２の制御の下、第２検出プロセッサの複素サンプル記憶装置６４．２から複素サンプルを受け取る。マスターとして作用する第１検出プロセッサのデータ・プロセッサ６８．１は、第１および第２検出プロセッサ双方のイコライザ６２．１、６２．２のイコライザ係数を算出し、等化し、結合器７４．１による結合した後の信号である複素信号から復元したデータのエラー尤度を低減させる。このためには、データ・プロセッサ６８．１を第１および第２イコライザ係数を一緒に算出するように構成する。
【００４２】
線形イコライザの係数を算出する技法にはさまざまなものがある。しかしながら好適な実施形態では、データ・プロセッサ６８．１がほぼ図６に示すように動作し、決定志向技法（ｄｅｃｉｓｉｏｎ  ｄｉｒｅｃｔｅｄ  ｔｅｃｈｎｉｑｕｅ）を用いてイコライザ係数を算出する。
【００４３】
図６では、第１および第２試行イコライザ９４．１および９４．２が、第１および第２入力信号９０．１、および９０．２を受け取る状況が示されている。第１および第２入力信号９０．１、および９０．２は第１および第２検出プロセッサの複素サンプル記憶装置６４．１、６４．２からの複素信号サンプルを供給する。図５および６に示す実施形態の例では、記憶装置は５１２の複素サンプルを取り込み、各サンプルは１０ビットの解像度で表されるように構成される。５１２サンプルは、受信データの部分に対し１／４チップ解像度（ａ  ｑｕａｒｔｅｒ  ｃｈｉｐ  ｒｅｓｏｌｕｔｉｏｎ）を与える。
【００４４】
実施形態の例では、データは種々の部分を有するバーストの形態で受信される。バーストの前半はＱＰＳＫ変調に基づいて変調され、データを搬送するバーストの後半は例えば８、１６、３２または６４−ＱＡＭのようなより高次の変調に従って変調される。このバースト・フォーマットの概略は図８に示されている。本発明はあらゆる変調方式およびデータ・フォーマットと共に使用可能であるが、図８に示すバースト・フォーマットはデータを正確に復元する確率を高めるイコライザ係数を生成する設備を提供する。それはＱＰＳＫ変調方式は、８、１６、３２または６４−ＱＡＭのようなより高次の変調方式よりもより高いユークリッドの距離を有するからである。その結果、ＱＰＳＫ変調方式から検出されたデータは、ユークリッド距離が長くなることから、より大きな耐ノイズ性によって正確に検出され、生成される確率が高まる。このため、イコライザ係数は、以下に説明する決定志向技法を用い、ＱＰＳＫ変調から復元されたデータを用いて、データ・プロセッサ６８．１によって算出可能である。
【００４５】
図６に示すように、復元されたベースバンド信号サンプルは、それぞれのサンプル記憶装置から、第１および第２試行イコライザ９４．１、９４．２にそれぞれ供給される。上記のように、複素信号サンプルを試行イコライザ９４．１、９４．２に供給するために、平行チャネルを備える。試行イコライザ９４．１、９４．２は、フィード・バック・プロセッサ９６から試行イコライザ係数の複素集合を受け取るよう構成される。試行イコライザ９４．１、９４．２は、第１および第２検出プロセッサの線形イコライザ６２．１、６２．２をモデル化するように動作可能である。格納した信号サンプルをイコライザ係数と結合後、第１および第２イコライザ９４．１、９４．２からの出力は、結合手段９８によって結合され、複素信号推定値を生成する。次に、試行複素信号は、逆拡散プロセッサ９９によって受け取られ、逆拡散プロセッサ９９は、受け取ったバーストの第１部分１０２からのデータを復元する。次に、復元したデータは接続チャネル１００を介してフィード・バック・プロセッサ９６にフィードバックされる。次に、このフィード・バック・プロセッサ９６は、イコライザ係数の決定志向調整を形成し、受け取ったバーストのＱＰＳＫ部分１０２から生成されたデータの復元バージョンと結合手段９８の試行複素信号から以前に生成されたこのデータの推定値との間のエラーを最小化するようにする。したがって、反復プロセスによってイコライザ係数は調整され、バーストのＱＰＳＫ変調された部分からのデータの現在の復元バージョンとこのデータの以前のバージョンとの間のエラーを低減させる。エラーの低減は、復元されたデータバージョン間の最小平均二乗誤差によって判定される。
【００４６】
したがって、本質的にはマスターの第１検出プロセッサ４２．１のデータ・プロセッサ６８．１は、第１および第２イコライザ係数を最適化し、結合器７４．１の出力において生成された複素信号から検出されたデータのエラー確率をできる限り低減させるよう構成される。所定数の反復の後、試行イコライザ係数はその次に、対応する検出プロセッサのそれぞれのイコライザに供給される。
【００４７】
したがって、本発明の実施形態は、例えば最大結合率に従い、結合器によって結合された精製データの結果をもとに、線形イコライザ係数を一緒に最適化するという利点を有する。別の利点は、ダイバーシティ・ブランチの数が増えるにつれて、図５に示す検出プロセッサのモジュール構造が、プロセッサを更に追加するように設備を提供する。したがって、複数の検出プロセッサを一緒に結合した後、検出プロセッサの１つをマスターであると判定し、スレーブ検出プロセッサは、それぞれのサンプル記憶装置からの複素サンプルを伝達してイコライザ係数の計算を実行する。
【００４８】
認められるように、データ・プロセッサ６８．１は、比較的に複雑な計算を行ってイコライザ係数を一緒に生成する。しかしながら、受信機が固定ワイヤレス・アクセス・システムで用いられる好適な実施形態では、無線チャネルは比較的ゆっくりと変化する可能性が高い。このためデータ・プロセッサ６８．１、６８．２は、正確なデータ検出の確率が過度に劣化することなく新たなイコライザ係数を定期的に計算するよう構成することが可能である。したがって、イコライザ係数の計算は無線信号のバーストを受け取る毎に行う必要はない。
【００４９】
認められるであろうが、２つの複素出力信号を与えることが適切である用途がある。このためには、第２検出プロセッサもまた接続チャネル５０．２上で出力信号を与える。これに応じて、第１および第２検出プロセッサ間の交差結合によって、図８に概略的に表示したような二重ダイバーシティ受信機が形成される。図８では、それぞれのイコライザの出力において、第１および第２検出プロセッサ４２．１、４２．２の間の接続チャネル４６、４８によって示される交差結合が行われている。一方の検出プロセッサのイコライザから生成されたものに対応する信号サンプルが、もう一方のイコライザによって生成されたものに対応する時間に、確実に受け取られるようするため、それぞれの遅延エレメント１２０．１、１２０．２によって遅延´Ｄ´が導入されている。
【００５０】
その他の実施形態
既に説明したように、例示の実施形態では、２つのダイバ−シティ・ブランチ、およびこれに対応する２つの検出プロセッサを備えて図示されているが、別の実施形態では、もっと多数のアンテナ・ダイバーシティ・ブランチをこれに対応する数の検出プロセッサと一緒に使用することができる。図９は、図８に示す図に対応した例を提示している。即ち、４つのアンテナ・ダイバーシティ・ブランチが本発明の実施形態にしたがって結合されている。４つのブランチは検出プロセッサ１４０、１５０、１６０、１７０として概略的に表されている。検出プロセッサ１４０、１５０、１６０、１７０の各々は、図５に示す検出プロセッサと全般的に対応する。したがって、完璧な説明は行わない。しかしながら、図９に示すように、イコライザ１８０．１、１８０．２、１８０．３、１８０．４のそれぞれは、精製出力信号を与え、これらは対応する遅延エレメント１８４．１、１８４．２、１８４．３を介して、対応する結合器１８２．１、１８２．２、１８２．３、１８２．４に供給される。図９に示されるように、精製信号サンプルがそれぞれのイコライザ１４０、１５０、１６０、１７０の出力において生成される相対的時間を補償する為に、遅延エレメント１８４．１、１８４．２、１８４．３には、Ｄ１＋Ｄ２＋Ｄ３の遅延を有する第１検出プロセッサ１８４．１に始まって、遅延エレメントが備えられていない第４の検出プロセッサまで徐々に減少する遅延が備えられている。認められるであろうが、結合器１８２．１、１８２．２、１８２．３、１８２．４からの出力のそれぞれは、三つの他の検出プロセッサからの信号を結合することによって完全結合の複素信号を与えることが可能である。しかしながら、図の複雑化を抑えるために、これは図９には示していない。
【００５１】
認められるであろうが、上述の実施形態は、本発明の範囲を逸脱しない範囲で種々の修正を行うことが可能である。本発明は特に、例えば、あらゆる種類のスペクトル拡散信号の受信に供され、固定式ワイヤレス・アクセス・システムに限定されない。本発明は、あらゆる変調方式を用いた移動無線システムに用いることができる。
【００５２】
例示の実施形態では、データ・プロセッサは決定志向技法に従ってイコライザ係数を生成するように動作可能であるが、これは単なる一例であって、別の実施形態では、イコライザ係数を別の方法で計算することが可能であることは認められよう。これらには、例えば、既知のデータ・シーケンスをＣＤＭＡ信号での送信がある。既知のデータ・シーケンスを含んだ受信信号サンプルの部分と当該既知のデータ・シーケンス自身の再生との間のエラーを極力小さくすることによって、復元されたデータ・シーケンスと元の既知のデータ・シーケンスとの間のエラーが最小となるまで、イコライザ係数を繰り返し調整することができる。再度これを行うことによって最小平均２乗誤差を低減させることができる。イコライザ係数を計算するその他の方法にはデコンボリューション（ｄｅ−ｃｏｎｖｏｌｕｔｉｏｎ）がある。デコンボリューションは、例えば、トレーニング・シーケンスを用いて、無線チャネルの周波数応答を計算することを要求する。あるいは、無線チャネルの周波数応答は受信信号のスペクトルを推定することによって決定可能であり、次に、復元されたデータおよび時間領域に逆変換された結果によって変調されたスペクトル拡散信号の周波数応答によって分割される。
【００５３】
更に、好適な実施形態では、データはスペクトル拡散信号の位相を変調するように構成される。これにはコヒーレントな検出が必要とされるため、複素信号サンプルの生成が要求されるが、別の実施形態では、位相は検出されないため受信した信号サンプルは、実数だけであって複素数ではない。
【図面の簡単な説明】
本発明を、単なる例として添付図面に図示した本発明の好適な実施形態を参照しながら更に説明する。
【図１】
図１は、本発明が使用されたワイヤレス電気通信システムの一例の概略図である。
【図２】
図２は、図１の電気通信システムの加入者端末の一例を示す模式図である。
【図３】
図３は、図１の加入者端末と中央端末との間の無線信号の伝播を示す模式図である。
【図４】
図４は、中央端末または加入者端末の部分を構成する受信機の模式ブロック図である。
【図５】
図５は、図４に示す受信機の検出プロセッサの内２つの模式ブロック図である。
【図６】
図６は、図５に示す検出プロセッサ内のデータ・プロセッサの実現可能な構成を示す模式ブロック図である。
【図７】
図７は、固定ワイヤレス・アクセス・システムにおいてデータを伝達するために用いられる無線信号のバーストのフォーマットの模式ブロック図である。
【図８】
図８は、図５に示した受信機の部分の動作を示す模式ブロック図である。
【図９】
図９は、４個の検出プロセッサを有する受信機の動作を示す模式ブロック図である。
【図１】
2004519934.tif 000003
【図２】
2004519934.tif 000004
【図３】
2004519934.tif 000005
【図４】
2004519934.tif 000006
【図５】
2004519934.tif 000007
【図６】
2004519934.tif 000008
【図７】
2004519934.tif 000009
【図８】
2004519934.tif 000010
【図９】
2004519934.tif 000011
【国際公開パンフレット】
2004519934.tif 000012
2004519934.tif 000013
2004519934.tif 000014
2004519934.tif 000015
2004519934.tif 000016
2004519934.tif 000017
2004519934.tif 000018
2004519934.tif 000019
2004519934.tif 000020
2004519934.tif 000021
2004519934.tif 000022
2004519934.tif 000023
2004519934.tif 000024
2004519934.tif 000025
2004519934.tif 000026
2004519934.tif 000027
2004519934.tif 000028
2004519934.tif 000029
2004519934.tif 000030
2004519934.tif 000031
2004519934.tif 000032
2004519934.tif 000033
2004519934.tif 000034
2004519934.tif 000035
2004519934.tif 000036
2004519934.tif 000037
2004519934.tif 000038
2004519934.tif 000039
2004519934.tif 000040
【手続補正書】
【提出日】平成15年1月14日(2003.1.14)
【手続補正１】
【補正対象書類名】明細書
【補正対象項目名】特許請求の範囲
【補正方法】変更
【補正の内容】
【特許請求の範囲】
【請求項１】
受信データを伝送する無線信号サンプルからデータを検出および復元する受信機であって、該受信機は第１および第２検出プロセッサを備え、該第１および第２検出プロセッサの各々は、
前記受信信号サンプルを格納するよう動作可能なデータ記憶装置と、
前記受信信号サンプルを複数のイコライザ係数と結合させ、前記受信信号サンプルを表す精製信号サンプルを生成するように動作可能であるが、前記受信無線信号のマルチ・パス伝播によって生じる符号間干渉の影響は少なくとも部分的に低減させるイコライザと、
前記イコライザから精製信号サンプルを受け取り、前記受信信号のその後の受信バージョンから取り出した第２精製信号サンプルを第１および第２検出プロセッサの他方から受け取り、前記第１および第２精製信号サンプルを結合するように動作可能な結合手段と、
前記データ記憶装置から前記格納された信号サンプルを受け取るよう動作可能なデータ・プロセッサにおいて、前記第１検出プロセッサのデータ・プロセッサは、第２格納信号サンプルを前記第２検出プロセッサから受け取り、前記第１検出プロセッサのイコライザ係数と前記第２検出プロセッサのイコライザ係数とを、前記第１および第２格納信号サンプルに基づいて適合させるように動作可能であって、前記受け取った無線信号サンプルからのデータを正確に復元する確率を高めるようにするデータ・プロセッサと、
を備えた前記受信機。
【請求項２】
請求項１記載の受信機において、前記データ・プロセッサは、
前記第１および第２格納信号サンプルを第１および第２試行イコライザ係数と結合させ、第１および第２試行精製信号サンプルを精製するように動作可能な第１および第２試行イコライザと、
前記第１および第２試行精製信号サンプルを結合し、試行複素信号を形成するように動作可能な結合器と、
前記試行複素信号を復調し、前記データの少なくとも一部分を復元するように動作可能な復調プロセッサと、
前記第１および第２試行イコライザを制御するよう動作可能なフィード・バック・プロセッサにおいて、前記結合器および前記復調プロセッサが、前記データの前記復元された部分のその後のバージョンを形成し、前記復元されたデータ部分の前記第１部分とその後のバージョンとの間に形成されたエラーに基づいて前記第１および前記第２試行イコライザ係数を適合させ、該適合された第１および第２試行イコライザ係数は前記第１および第２イコライザにおいてイコライザ係数として使用されるフィード・バック・プロセッサと、
を備えた前記受信機。
【請求項３】
請求項２記載の受信機において、前記データ・プロセッサは、前記イコライザ係数を複数の反復のそれぞれに対して適合させ、各バージョンは前記データ部分のその後の精製バージョンを形成し、前記データの前記部分の前記その後のバ−ジョンと以前のバージョンとの間のエラーを最小化させるようにした前記受信機。
【請求項４】
請求項２または３に記載の受信機において、前記データ・プロセッサは、前記係数を適合させ、少なくともエラーの最小平均二乗を最小化させるようにした前記受信機。
【請求項５】
請求項２、３、または４のいずれかひとつに記載の受信機において、前記受信信号サンプルが、前記受信信号サンプルの別のデータを載せた部分より大きなユークリッド距離を有する変調手法を用いて変調されたセクションを含み、前記推定されたデータの前記部分が、前記のより大きなユークリッド距離で変調された前記受信信号サンプルのセクションから復元された前記受信機。
【請求項６】
請求項１記載の受信機において、前記データ・プロセッサが、前記受信信号サンプルの周波数応答から前記復元データの周波数応答を逆畳み込みをすることによって、前記受信無線信号が通過した無線通信チャネルの周波数応答の推定値を生成し、前記無線通信チャネルの周波数応答の前記推定値から前記第１および第２イコライザ係数を生成するように動作可能な逆畳み込みプロセッサを備えた前記受信機。
【請求項７】
請求項１記載の受信機において、前記受信した信号が既知のデータ・シーケンスを含み、前記格納信号サンプルが前記既知のデータ・シーケンスを表し、前記データ・プロセッサが、前記格納サンプルを復調することによって前記既知のデータ・シーケンスを復元し、前記復元データ・シーケンスと前記もとのデータ・シーケンスとの間に形成されたエラーに基づいて、前記第１および第２イコライザ係数を適合させるように動作可能である前記受信機。
【請求項８】
請求項７記載の受信機において、前記制御プロセッサが、複数の反復の各々に対し前記イコライザ係数を適合させ、前記エラーを最小化するようにした前記受信機。
【請求項９】
請求項７または８記載の受信機において、前記データ・プロセッサが、前記係数を適合させ、少なくともエラーの最小平均二乗を最小化するようにした前記受信機。
【請求項１０】
請求項１から９のいずれかひとつに記載の受信機において、前記第１および第２検出プロセッサは、所定のインターフェースを有するモジュールとして製作され、該インターフェースは、前記格納信号サンプル、前記イコライザ係数、および精製信号を別の検出プロセッサに伝達する機能を備えた前記受信機。
【請求項１１】
請求項１から１０のいずれかひとつに記載の受信機において、前記第１および第２検出プロセッサの前記データ・プロセッサは、前記第１および第２検出プロセッサのうちのどちらが、マスター検出プロセッサとして作動し、該マスター検出プロセッサの前記データ・プロセッサが、前記第１および第２イコライザ双方のイコライザ用にイコライザ係数を計算するのかを決定するように動作可能である前記受信機。
【請求項１２】
請求項１から１１のいずれかひとつに記載の受信機であって、第１アンテナおよび第２アンテナを備え、該第１アンテナは、前記受信信号の第１バージョンを与える前記第１検出プロセッサに結合され、前記第２アンテナは、前記受信信号の第２バージョンを与える前記第２検出プロセッサに結合された前記受信機。
【請求項１３】
請求項１から１２のいずれかひとつに記載の受信機において、前記第１および第２検出プロセッサの少なくとも一方は前記イコライザによって生成された前記精製信号サンプルを遅延させる遅延エレメントを含み、他方の検出プロセッサのイコライザからの前記精製信号サンプルが、前記他方のサンプルの結合対象の前記精製信号サンプルと同時に受信されるようにした前記受信機。
【請求項１４】
請求項１から１３のいずれかひとつに記載の受信機において、前記受信データを伝送する無線信号はスペクトル拡散無線信号であり、前記データ・プロセッサは前記無線信号サンプルを逆拡散することによって前記データからの前記データを復元するように動作可能である前記受信機。
【請求項１５】
請求項１から１４のいずれかひとつに記載の受信機において、前記イコライザは線形イコライザである前記受信機。
【請求項１６】
請求項１から１５のいずれかひとつ記載の受信機を有した固定ワイヤレス・アクセス通信システム。
【請求項１７】
受信無線信号サンプルからのデータを検出して復元する際にダイバーシティ受信機において用いられる検出プロセッサであって、該検出プロセッサは、
前記受信信号サンプルを格納するように動作可能なデータ記憶装置と、
前記受信信号サンプルを第１の複数のイコライザ係数と結合し、前記受信信号サンプルを表す精製信号サンプルを生成するように動作可能であるが、前記受信無線信号の予測されるマルチ・パス伝播によって引き起こされる符合間干渉の影響は少なくとも部分的に低減させるイコライザと、
前記イコライザから前記精製信号サンプルを受け取り、第２の複数のイコライザ係数と結合された前記受信信号のその後の受信バージョンから取り出された第２精製信号サンプルを受け取り、前記第１および第２精製信号サンプルを結合するように動作可能な結合手段と、
前記データ記憶装置から前記格納信号サンプルを受け取り、且つ第２の格納信号サンプルを受け取り、前記第１イコライザ係数および第２イコライザ係数を適合させるように動作可能であり、前記受信信号サンプルからのデータを正確に復元する確率を高めるようにしたデータ・プロセッサと、
を備えた前記検出プロセッサ。
【請求項１８】
請求項１７記載の検出プロセッサにおいて、前記受信無線信号サンプルは受信したスペクトル拡散無線信号から取り出され、前記データ・プロセッサは、前記無線信号サンプルを逆拡散することによって前記データを復元させるように動作可能である前記検出プロセッサ。
【請求項１９】
請求項１７または１８に記載の検出プロセッサにおいて前記イコライザは線形イコライザである前記検出プロセッサ。
【請求項２０】
受信データを伝送する無線信号サンプルからのデータを検出し復元する方法であって、
所定数の前記信号サンプルを格納するステップと、
前記信号サンプルを複数のイコライザ係数と結合し、前記受信信号サンプルを表す精製信号サンプルを生成するが、前記受信無線信号によって生ずるマルチ・パス伝播によって発生する符合間干渉の影響は少なくとも部分的に低減させるようにするステップと、
前記精製信号サンプルと前記受信信号のその後の受信バージョンから取り出した第２の生成信号サンプルとを受け取るステップと、
前記第１および第２精製信号サンプルを結合するステップと、
前記格納信号を前記データ記憶装置から受け取り、第２の信号サンプルを第２のデータ記憶装置から受け取るステップと、
前記第１イコライザ係数および前記第２イコライザ係数を適合させ、前記受信無線信号サンプルからのデータを正確に復元させる確率を高めるようにしたステップと、
からなる前記方法。
【手続補正２】
【補正対象書類名】明細書
【補正対象項目名】０００４
【補正方法】変更
【補正の内容】
【０００４】
スペクトル拡散信号からのデータを検出、復元するための公知の受信機には、レーク受信機（Ｒａｋｅ  ｒｅｃｅｉｖｅｒ）がある。レーク受信機には複数の相関器が備えられ、これらの相関器のそれぞれは、異なる量によって、受信信号を拡散符号オフセットの再生バージョンと時間通りに相関付けるように構成される。これによって、各相関器は出力信号を生成し、この出力信号を結合して複素信号を生成し、この複素信号からデータを検出する。このように、それぞれのデータをマルチ・パス伝播プロフィールの経路それぞれの予想した遅延にしたがって設定することによって、マルチ・パス伝播の存在するところで、データを復元することができる。
欧州特許出願第ＥＰ−Ａ−０９４８０８２号は、第１および第２アンテナを有する２つのダイバーシティ受信機を開示する。各アンテナは、無線信号を検出し、該検出された信号を受信された信号のサンプルが格納された各ブランチ内のデータ記憶装置に供給するように構成されている。各ブランチは、第１または第２アンテナをイコライザ係数と対応させることにより受信信号を結合させて符号間干渉を低減させるように構成されたイコライザを備える。各ブランチからの信号は、それぞれのイコライザで受け取られ、結合器で結合されて検出された信号を与える。
米国特許第ＵＳ５，９０７，３０３号は、複数のアンテナをであって、それぞれのアンテナがダイバーシティ・ブランチを備えた受信機を開示している。各ブランチは、アンテナによって検出された信号を含むイコライザと、等化された信号が結合器によって他のブランチからの重み付けされた等化信号と結合される前にこれを重み付けする重み付け回路とを供える。合成制御装置は、重み付け回路を制御し、結合器に予めセットしたレベルで出力を生成させ、更に重み付け回路出力間の差を制御する。


【手続補正３】
【補正対象書類名】明細書
【補正対象項目名】０００５
【補正方法】変更
【補正の内容】
【０００５】
（発明の要約）
本発明によれば、受信データを伝送する無線信号サンプルからデータを検出して、且つ復元するための受信機が提供され、当該受信機は第１および第２検出プロセッサを備え、当該第１および第２検出プロセッサの各々は、前述の受信した信号サンプルを格納するように動作可能なデータ記憶装置と、受信信号サンプルを複数のイコライザ係数と結合し、受信信号サンプルを表す精製（ｒｅｆｉｎｅｄ）信号サンプルを生成するように動作可能であるが、受信無線信号のマルチ・パス伝播によって生ずる符号間干渉の影響は少なくとも部分的に低減させるイコライザと、精製信号サンプルをイコライザから受信し、且つ第１および第２検出プロセッサの他方から、受信信号の別の受信バージョンから導出された第２の精製信号サンプルを受信し、前述の第１および第２の精製信号サンプルを結合するように動作可能な結合手段と、格納された信号サンプルをデータ記憶装置から受け取るよう動作可能なデータ・プロセッサと、を備え、前述の第１検出プロセッサのデータ記憶装置は、第２検出プロセッサのデータ記憶装置から第２信号サンプルを受け取り、第１および第２格納信号サンプルに基づいて、イコライザ係数を前述の第１検出プロセッサおよび前述の第２検出プロセッサに適合させるように動作可能であり、受信無線信号サンプルからのデータを正確に復元する確率を高めるようにする。


【手続補正４】
【補正対象書類名】明細書
【補正対象項目名】００４３
【補正方法】変更
【補正の内容】
【００４３】
図６では、第１および第２試行イコライザ９４．１および９４．２が、第１および第２入力信号９０．１、および４４を受け取る状況が示されている。第１および第２入力信号９０．１、および９０．２は第１および第２検出プロセッサの複素サンプル記憶装置６４．１、６４．２からの複素信号サンプルを供給する。図５および６に示す実施形態の例では、記憶装置は５１２の複素サンプルを取り込み、各サンプルは１０ビットの解像度で表されるように構成される。５１２サンプルは、受信データの部分に対し１／４チップ解像度（ａ  ｑｕａｒｔｅｒ  ｃｈｉｐ  ｒｅｓｏｌｕｔｉｏｎ）を与える。


【手続補正５】
【補正対象書類名】図面
【補正対象項目名】図５
【補正方法】変更
【補正の内容】
【図５】
2004519934.tif 000041
【手続補正６】
【補正対象書類名】図面
【補正対象項目名】図６
【補正方法】変更
【補正の内容】
【図６】
2004519934.tif 000042
【国際調査報告】
2004519934.tif 000043
2004519934.tif 000044
2004519934.tif 000045